(57)【要約】【解決する課題】本発明は、スムーズにネット体を昇降移動することができる防球用等のネット体又はシート体、及び防球用等のネット体又はシート体の昇降移動方法を提供することを課題とする。【解決手段】空間部の上下方向に吊り張りするネット又はシートと、該ネット又はシートの吊り張り方向と並行に架け渡しウインチで駆動する駆動用ロープ、又はネット又はシートの上下方向に沿って直線状に複数個取り付けられたリング体から構成された防球用等のネット体又はシート体において、前記リング体はネット又はシートの左右両端間で連結した複数本の連結用ロープにそれぞれ複数個移動自在に挿通され、且つ前記駆動用ロープ、又はガイド用ロープに対応した位置を中心に左右方向に所望量移動可能に取り付けられている。【選択図】図１
2014161711.tif 000002
【特許請求の範囲】
【請求項１】
空間部の上下方向に吊り張りするネット又はシートと、該ネット又はシートの吊り張り方向と並行に架け渡しウインチで駆動する駆動用ロープ、又はネット又はシートの吊り張り方向と並行に張設したガイド用ロープの何れかを挿通し、ネット又はシートの上下方向に沿って直線状に複数個取り付けられたリング体から構成された防球用等のネット体又はシート体において、前記リング体はネット又はシートの左右両端間で連結した複数本の連結用ロープにそれぞれ複数個移動自在に挿通され、且つ前記駆動用ロープ、又はガイド用ロープに対応した位置を中心に左右方向に所望量移動可能に取り付けられていることを特徴とする防球用等のネット体又はシート体。
【請求項２】
ネット又はシートの上下方向で直線状に複数個のリング体を取り付けることでネット体又はシート体を形成した後、前記リング体にネット体又はシート体の吊り張り方向と並行に架け渡しウインチで駆動する駆動用ロープ、又はネット体又はシート体の吊り張り方向と並行に張設したガイド用ロープの何れかを挿通するとともに、駆動用ロープをネット体又はシート体に連結し、該駆動用ロープを移動することでネット体又はシート体を昇降移動する防球用等のネット体又はシート体の昇降移動方法において、前記ネット又はシートの左右両端側でリング体を移動自在に挿通した連結用のロープを複数本所望の間隔で連結した後、前記駆動用ロープ、又はガイド用ロープに対応した位置にリング体を左右方向に移動し上下方向で直線状に位置して駆動用ロープ、又はガイド用ロープを挿通するとともに、ネット体又はシート体に駆動用ロープを連結し、該駆動用ロープを移動することでリング体を連結用ロープに沿って左右方向に移動しながら、前記連結用ロープ間を離反、又は近接しながらネット体又はシート体を昇降移動することを特徴とする防球用等のネット体又はシート体の昇降移動方法。
【発明の詳細な説明】
【発明の詳細な説明】
【技術分野】
【０００１】本発明は、例えば防球用として使用するネット体、空間部を間仕切りするシート体を吊り張りするのに使用する防球用等のネット体又シート体、及び防球用等のネット体又はシート体の昇降移動方法に関する。
【背景技術】
【０００２】従来、例えばゴルフ練習場等の屋外の空間部の外周に沿って囲むように吊り張りする防球用としてのネット体は、屋外に吊り張りしているために風の影響を受けやすく下記のような構成の装置を用いて昇降移動する。【０００３】即ち、ネット体の吊り張り装置としては、空間部の外周に沿って立設した複数本の支柱に取り付けた複数個のエンドレス方式のウインチと、該ウインチの巻回ドラムで移動すべく支柱の上下方向でエンドレス状に架け渡した駆動用ロープと、該駆動用ロープに並行に張設したガイド用ロープと、該ガイド用ロープにリング体を介して取り付け、且つ上端側を駆動用ロープに連結したネット体から構成されている。【０００４】上記装置は、ウインチの巻回ドラムを回転駆動することで、駆動用ロープを支柱の上下方向でエンドレス状に移動し、該駆動用ロープに上端側を連結したネット体をガイド用ロープに沿って昇降移動することで、ネット体を空間部に吊り張り及び収納する。【０００５】また、巻き取り方式のウインチを用いる場合は、巻回ドラムで巻き取り移動する駆動用ロープの先端部分をネット体の上端部に連結し、ウインチを駆動し駆動用ロープを巻き取ることでネット体をガイド用ロープに沿って上昇して吊り張りし、駆動用ロープを引き出すことでネット体をガイド用ロープに沿って下降することで地面側に収納する。【０００６】上記ネット体の下端側は、一端側を地面に連結した別体の固定用のロープに連結することで、ネット体の下端側に隙間ができるのを防止している。【０００７】また、前記リング体はネットの上下端部で固定した連結用のロープに連結することで直接ネットにリング体を連結するような場合に比し、リング体とネットとの接触による磨耗を削減している。
【発明が解決しようとする課題】
【０００８】しかしながら、上記従来のリング体を挿通した連結用ロープは、ネット体の上下両端部に連結しているためにリング体を上下方向に直線状に位置するのは容易であるが、リング体間を上下等間隔で個々連結用ロープに固定する作業が煩雑であり作業効率が悪いという欠点があった。
【０００９】さらに、駆動用ロープ、又はガイド用ロープの位置に対応した位置に適切にリング体を位置させる場合に、そのつどネット体又はシート体を収納して連結用ロープの連結位置を移動しなければならず、その微調整作業が大変であった。
【００１０】また、ネット体又はシート体を収納する際、ネット体又はシート体は上下方向で折り畳んで収納するが、連結用ロープが上下方向でネット又はシートに連結しているために、収納の妨げとなる欠点があった。
【００１１】そこで、本発明は、上記課題を解決するものであって、リング体の位置調整が容易であり、また、ネット体又はシート体の収納が容易である防球用等のネット体又はシート体、及び防球用等のネット体又はシート体の昇降移動方法を提供することを課題とするものである。
【課題を解決するための手段】
【００１２】上記課題を解決する本発明の解決手段としての防球用等のネット又はシート体の吊り張り装置は、請求項１に記載のように、空間部の上下方向に吊り張りするネット又はシートと、該ネット又はシートの吊り張り方向と並行に架け渡しウインチで駆動する駆動用ロープ、又はネット又はシートの吊り張り方向と並行に張設したガイド用ロープの何れかを挿通し、ネット又はシートの上下方向に沿って直線状に複数個取り付けられたリング体から構成された防球用等のネット体又はシート体において、前記リング体はネット又はシートの左右両端間で連結した複数本の連結用ロープにそれぞれ複数個移動自在に挿通され、且つ前記駆動用ロープ、又はガイド用ロープに対応した位置を中心に左右方向に所望量移動可能に取り付けられていることを特徴とする。
【００１３】また、解決手段としての防球用等のネット体又はシート体の吊り張り移動方法は、請求項２に記載のように、ネット又はシートの上下方向で直線状に複数個のリング体を取り付けてネット体又はシート体を形成した後、前記リング体にネット体又はシート体の吊り張り方向と並行に架け渡しウインチで駆動する駆動用ロープ、又はネット体又はシート体の吊り張り方向と並行に張設したガイド用ロープの何れかを挿通するとともに、駆動用ロープをネット体又はシート体に連結し、該駆動用ロープを移動することでネット体又はシート体を昇降移動する防球用等のネット体又はシート体の昇降移動方法において、前記ネット又はシートの左右両端側でリング体を移動自在に挿通した連結用のロープを複数本所望の間隔で連結した後、前記駆動用ロープ、又はガイド用ロープに対応した位置にリング体を左右方向に移動し上下方向で直線状に位置して駆動用ロープ、又はガイド用ロープを挿通するとともに、ネット体又はシート体に駆動用ロープを連結し、該駆動用ロープを移動することでリング体を連結用ロープに沿って左右方向に移動しながら前記連結用ロープ間を離反、又は近接しながらネット体又はシート体を昇降移動することを特徴とする。
【発明の作用及び効果】
【００１４】本発明の防球用等のネット体又はシート体、及び防球用等のネット体又はシート体の昇降移動方法の作用効果について説明する。
【００１５】先ず、請求項１に記載の防球用等のネット体又はシート体は、空間部に設置する大きさに形成されたネット又はシートの左右両端側で複数本の連結用ロープを所望の間隔で連結する。
【００１６】前記連結用ロープにはそれぞれ複数個のリング体が挿通自在に挿通され、これによりネット体又はシート体を形成することができる。
【００１７】次に、ネット体又はシート体に並行で上下方向に架け渡した駆動用ロープ、又はガイド用ロープの設置位置に対応して、リング体を左右方向に移動し上下方向で直線状となるように調整する。
【００１８】そして、駆動用ロープ、又はガイド用ロープをネット体又はシート体の上部側のリング体より順次下方側のリング体へ挿通することで上下方向に直線状にリング体を位置することができる。
【００１９】この際、スムーズなリング体の設置が可能であり、作業効率を格段に向上することができる。
【００２０】また、リング体は連結用ロープに沿って左右方向に移動可能であるために、リング体が連結用ロープに固定された場合に比し、駆動用ロープ、又はガイド用ロープのリング体への挿通が容易である。
【００２１】さらに、ネット又はシートの左右方向に連結した連結用ロープと、リング体に挿通した駆動用ロープ、又はガイド用ロープがネット又はシートを格子状に補強することとなり、ネット体又はシート体の強度を格段に向上することができる。
【００２２】次に、請求項２に記載の防球用等のネット体又はシート体の昇降移動方法は、ネット又はシートの左右両端側で複数個のリング体を移動自在に挿通した複数本の連結用ロープを連結してネット体又はシート体を形成する。
【００２３】そして、前記リング体をネット体又はシート体の吊り張り方向と並行に架け渡しウインチで駆動する駆動用ロープ、又はネット体又はシート体の吊り張り方向と並行に張設したガイド用ロープの何れかを挿通するとともに、駆動用ロープをネット体又はシート体の上部部分に連結する。
【００２４】この状態で、駆動用ロープをウインチで引っ張り移動することでネット体又はシート体をガイド用ロープ等に沿って上方に吊り張り移動することができる。
【００２５】さらに、駆動用ロープをウインチで引き出し移動することでネット体又はシート体をガイド用ロープ等に沿って収納移動する。
【００２６】この際、リング体は連結用ロープに沿って左右方向に移動することでネット体、又はシート体を昇降移動することができる。
【００２７】また、連結用ロープがネット又はシートの左右両端側で連結しているために、連結用ロープ間を近接してネット体又はシート体を折り畳むことができ、連結用ロープ間を離反してネット体又はシート体を吊り張りできる。
【００２８】このように、本発明は、連結用ロープをネット又はシートの左右両端側で連結しているためにリング体の上下方向のリング体間を調整することがなく、左右方向の調整をするだけでスムーズなリング体の位置調整が可能である。
【００２９】また、ネット体又はシート体を昇降移動する際、連結用ロープが左右方向であるためにネット体又はシート体に邪魔になることなくスムーズに移動することができ、頻繁なメンテナンスを必要としない。
【発明を実施するための最良の形態】
【００３０】次に、本発明に係る防球用等のネット体又はシート体、及び防球用等のネット体又はシート体の昇降移動方法の各実施例を、図面を参照して説明する。【００３１】図１は本発明の防球用等のネット体又はシート体の一実施例を示す概略説明正面図であり、図２はリング体を示す概略説明正面図であり、図３は図２のリング体を示す概略説明側面図であり、図４はリング体にガイド用ロープを挿通した状態を示す概略説明正面図であり、図５はネット体又はシート体の吊り張り状態を示す概略説明側面図であり、図６はネット体又はシート体の収納状態を示す概略説明側面図であり、図７は本発明の防球用等のネット体又はシート体の他実施例を示す概略説明正面図であり、図８はリング体の他実施例を示す概略説明正面図であり、図９は図８のリング体を示す概略説明側面図であり、図１０は本発明の防球用等のネット体又ｈシート体の昇降移動方法を示すフローチャートである。【００３２】本発明のネット体１（又はシート体）は、空間部の外周に沿って吊り張りする長尺矩形状のネット２（シート）と、該ネット２の左右両端側の左右補強用ロープ３，４と、前記ネット２の上端側を補強すべく水平に吊り張りする上部補強用ロープ５と、前記左右補強用ロープ３，４に等間隔で横方向に連結した複数本の連結用ロープ６と、該連結用ロープ６に移動自在に挿通した複数個のリング体７から構成されている。【００３３】前記連結用ロープ６はネット２の横方向で連結しているために、ネット体１の収納時に連結用ロープ６に沿ってネット体１が折り畳まれスムーズに収納することができる。【００３４】また、連結用ロープ６間がリング体７間の縦方向の距離となり、縦方向の距離が容易に調整することができる。【００３５】前記リング体７は、板状のリング本体８と、該リング本体８の左右両側に形成され横方向の連結用ロープ６を挿通する横挿通孔９と、リング本体８の上下両側に形成され、ガイド用ロープ１１（又は駆動用ロープ１２）を挿通する縦挿通孔１０から構成されている。【００３６】尚、リング体７の形状は前記形状に限定されるものでなく、例えば、リング本体８を筒状に形成することで横挿通孔９を一体的に形成することも可能である。これらの構成により、リング体７は連結用ロープ６に沿って横移動することができ、縦方向を容易に直線状に位置することができる。【００３７】また、リング体７は連結用ロープ６に沿って所望距離間で移動自在となるように、連結用ロープ６にはリング体７の両側にストッパー体１３が取り付けられている。【００３８】尚、連結用ロープ６とネット２との連結は、連結用ロープ６を所望の間隔で網目部分に挿通、又は前記ストッパー体１３で連結用ロープ６とネット２を連結する構成でもよい。【００３９】本願発明のネット体１は上記のように構成され、次に、上記ネット体１をゴルフ練習場の外周に吊り張りする防球用として使用する場合について説明する。【００４０】ゴルフ練習場の外周に沿って複数本の支柱を立設し、該支柱の上下方向に沿ってガイド用ロープ１２を張設し、支柱の上方よりウインチで駆動移動する駆動用ロープ１２を架け渡す。【００４１】前記駆動用ロープ１２は、エンドレス方式のウインチでエンドレス状に架け渡してもよく、また巻き取り方式のウインチで引き出し、巻き取り移動することも可能である。【００４２】前記支柱の上下方向に吊り張りするためのネット体１の上端側の上部補強用ロープ５に前記駆動用ロープ１２の先端側を連結する。【００４３】次に、ネット体１の連結用ロープ６に挿通したリング体７を前記ガイド用ロープ１１に対応する位置に調整移動し、該リング体７の近傍両端側で連結用ロープ６にストッパー体１３を固定してリング体７を所望の距離で移動自在する。【００４４】この状態で、ガイド用ロープ１１を上部側のリング体７より順次縦挿通孔１０に挿通すると、リング体７は連結用ロープ６に移動自在に挿通されているために、左右方向にリング体７を微調整しながらガイド用ロープ１１を挿通することができる。【００４５】このため、前記ガイド用ロープ１１の挿通作業を容易に行うことができる。【００４６】その後、前記駆動用ロープ１２をウインチで巻き取り移動することで、ネット体１をガイド用ロープ１１に沿って上方に移動し連結用ロープ６間を離反し、防球用として吊り張りすることができる。【００４７】この際、ネット体１は横方向の連結用ロープ６と、縦方向のガイド用ロープ１１により強度を補強され、防球用として最適に使用することができる。【００４８】次に、ネット体１を収納する場合は、ウインチを駆動し駆動用ロープ１２を引き出し移動して、ネット体１を下方側に移動することで収納する。【００４９】この際、ネット体１は連結用ロープ６間を近接し複数回折り畳まれ、連結用ロープ６が邪魔になることなくスムーズに収納することができる。【００５０】上記実施例では、屋外のゴルフ練習場の防球用のネット体として使用したが、屋内の間仕切り用として使用する場合は、天井部分にネット体１の上端側を固定し、連結用ロープ６の挿通したリング体７の縦挿通孔８に駆動用ロープ１２を上部側より挿通し、ネット体１の下端部分で固定する。【００５１】これにより、駆動用ロープ１２を引き出すことで、空間部を間仕切りし、駆動用ロープ１２を巻き取ることでネット体１を上方に収納移動する。【００５２】この際も、連結用ロープ６がネット２の横方向に連結しているためにネット体１の収納移動をスムーズに行うことができる。【００５３】また、ネット体１はリング体７を位置する上下方向の直線状部分に沿って別ネット２Ａを用いてネット２部分を二重にすることで、ガイド用ロープ１１がネット２部分に抵触してもネット２を保護することも可能である。
【図面の簡単な説明】
【００５４】
【図１】本発明の防球用等のネット体又はシート体の一実施例を示す概略説明正面図
【図２】リング体を示す概略説明正面図
【図３】図２のリング体を示す概略説明側面図
【図４】リング体にガイド用ロープを挿通した状態を示す概略説明正面図
【図５】ネット体の吊り張り状態を示す概略説明側面図
【図６】ネット体の収納状態を示す概略説明側面図
【図７】本発明の防球用等のネット体又はシート体の他実施例を示す概略説明正面図
【図８】リング体の他実施例を示す概略説明正面図
【図９】図８のリング体を示す概略説明側面図
【図１０】本発明の防球用等のネット体又はシート体の昇降移動方法を示すフローチャート
【符号の説明】
【００５５】１−ネット体（シート体）、２−ネット（シート）、６−連結用ロープ、７−リング体
【図１】
2014161711.tif 000003
【図２】
2014161711.tif 000004
【図３】
2014161711.tif 000005
【図４】
2014161711.tif 000006
【図５】
2014161711.tif 000007
【図６】
2014161711.tif 000008
【図７】
2014161711.tif 000009
【図８】
2014161711.tif 000010
【図９】
2014161711.tif 000011
【図１０】
2014161711.tif 000012